(57)【要約】【課題】２口以上の加熱部から構成され、一方の操作部に異常が生じ操作無効状態になることで加熱部の使用ができなくなった場合、あるいは通常使用でも、他方の操作部から加熱部を操作可能にすること。【解決手段】右側の誘導加熱部５ｂを操作する操作部１１の加熱入切キー１１ａ操作時、操作キーを受け付けず、誘導加熱部５ｂが加熱できない状態であるとする。このとき、中央加熱部６であるラジェントヒーター（電気抵抗発熱加熱手段）８の操作部１０中のラジェント加熱入／切キー１０ａを一定時間（例えば、１秒間）継続して押下しながら火力アップキー１０ｂを押下すると、操作部１０で右側の誘導加熱部５ｂを操作できるモードに移行する。【選択図】図７
2006118819.tif 000002
【特許請求の範囲】
【請求項１】
本体と、前記本体天面に設けたトッププレートと、前記トッププレート上に被加熱物を載置して加熱する加熱手段を備えた複数の加熱部と、前記本体に配し、複数の前記加熱部の各々に対応する操作部と、前記操作部には複数の前記加熱部への加熱条件を入力する加熱入切キー等の複数の入力キーを備え、前記加熱入切キーにより加熱開始する構成において、一方の加熱部を他方に対応する操作部から操作可能とする加熱調理器。
【請求項２】
操作部は、前記操作部各々に対応する表示部を設け、前記操作部によって使用している加熱部の表示を前記表示部によって表示する請求項１に記載の加熱調理器。
【請求項３】
加熱部は、誘導加熱手段を設けた請求項１〜２のいずれか１項に記載の加熱調理器。
【請求項４】
一方の操作部使用中、同じ加熱部に対し、他方の操作部から操作が行われた場合には報知を行うとともに、他方からの操作を禁止する請求項１〜３のいずれか１項に記載の加熱調理器。
【請求項５】
操作部は、本体天面に配する構成とした請求項１〜４のいずれか１項に記載の加熱調理器。
【請求項６】
操作部は、天面に配する静電容量検知式タッチパネルキーの構成とした請求項１〜５のいずれか１項に記載の加熱調理器。
【発明の詳細な説明】
【技術分野】
【０００１】
本発明は、キッチンなどのキャビネットに組み込んで調理に使用する複数の誘導加熱手段あるいは電気抵抗発熱式加熱手段を有した一般家庭用加熱調理器に関するものである。
【背景技術】
【０００２】
従来の加熱調理器の構成を、図８に示す。
【０００３】
従来、この種の加熱調理器は、本体天面に配する操作キー（静電容量検知式）と本体側面に配する操作キーを併せ持ち、天面に配する操作キーをバックアップ可能な構成とするものである（例えば、特許文献１参照）。
【０００４】
図８に示すように、本体２０を使用する場合は、鍋（図示せず）を加熱部２１に載置した後、電源スイッチ２４により電源をＯＮにし、次いで天面操作部２３の加熱入切キーに触れることにより、操作部２３に対応する誘導加熱コイル２２が通電され加熱が開始される。このとき、例えば加熱中に天面操作キー２３が異常状態（キーの多重押しまたは、キーの単独押しで一定時間入力が継続した状態）になった場合には、安全性を配慮し加熱を停止する。また、鍋からのふきこぼれ、あるいは水の付着等で天面操作２３無効の状態になった場合には、側面に配する操作部２５でキー操作のバックアップを可能とし、また、複数の加熱部に対応する操作部をそれぞれに設けた構成である。
【特許文献１】特開２００３−２７９０５５号公報（第２０頁、第２図）
【発明の開示】
【発明が解決しようとする課題】
【０００５】
しかしながら前記従来の構成では、加熱部と操作部が一対一対応、例えば操作部２３に対応する誘導加熱コイル２２、で構成されているため、各加熱部に対応する操作部に異常が生じた際には、異常操作部に対応する加熱部が使用不可になってしまうという課題を有していた。
【０００６】
本発明は前記従来の課題を解決するもので、一方の加熱部に対応する操作部に異常が生じた場合でも、他方の操作部から異常中の操作部に対応する加熱部を操作可能にし、使用勝手の向上を図る加熱調理器を提供することを目的とする。
【課題を解決するための手段】
【０００７】
前記従来の課題を解決するために本発明の加熱調理器は、本体と、前記本体天面に設けたトッププレートと、前記トッププレート上に被加熱物を載置して加熱する加熱手段を備えた複数の加熱部と、前記本体に配し、複数の前記加熱部の各々に対応する操作部と、前記操作部には複数の前記加熱部への加熱条件を入力する加熱入切キー等の複数の入力キーを備え、前記加熱入切キーにより加熱開始する構成において、一方の加熱部を他方に対応する操作部から操作可能としたものである。
【０００８】
これにより、一方の加熱部に対応する操作部に異常が生じて操作部が使用不可状態になった場合でも、他方の操作部から無効中の操作部に対応する加熱部の使用を可能にすることができる。
【０００９】
また、異常時に限らず、通常の使用（加熱部に対する該当操作部一対一の使用）に対する第二の操作手段として、使用性を向上することができる。
【発明の効果】
【００１０】
本発明の加熱調理器は、２口以上の加熱部から構成される加熱調理器において、一方の加熱部の操作部が無効状態になることで加熱部の使用ができなくなった場合でも、他方の操作部から無効操作部該当の加熱部を操作可能にすることができ、使用勝手を向上することができる。また、異常時に限らず、通常の使用（加熱部に対する該当操作部一対一の使用）に対する第二の操作手段として、使用性を向上することができる。
【発明を実施するための最良の形態】
【００１１】
第１の発明は、本体と、前記本体天面に設けたトッププレートと、前記トッププレート上に被加熱物を載置して加熱する加熱手段を備えた複数の加熱部と、前記本体に配し、複数の前記加熱部の各々に対応する操作部と、前記操作部には複数の前記加熱部への加熱条件を入力する加熱入切キー等の複数の入力キーを備え、前記加熱入切キーにより加熱開始する構成において、一方の加熱部への操作を他方に対応する操作部から可能とすることにより、一方の加熱部の操作部が無効状態になり、一方の加熱部の使用ができなくなった場合でも、他方の操作部によって無効操作部該当の加熱部を操作可能にすることができ、使用勝手を向上することができる。
【００１２】
また、異常時に限らず、通常の使用（加熱部に対する該当操作部一対一の使用）に対する第二の操作手段として、使用性を向上することができる。
【００１３】
第２の発明は、特に、第１の発明の操作部を、前記操作部各々に対応する表示部を設け、他方からの操作部によって使用している加熱部の表示を前記表示部によって表示するとすることにより、他方の操作部によって使用中の加熱部を使用者に分かりやすく知らせることができる。
【００１４】
第３の発明は、特に、第１または第２の発明の加熱部を、誘導加熱手段を設けた構成とすることにより、特にキッチンのキャビネットに組み込んで使用する誘導加熱調理器において、他方操作部から通常火力、オート調理、揚げ物等のような微調整の制御を要する誘導加熱特有の機能に対する操作を可能とし、使用勝手の向上を図ることができる。
【００１５】
第４の発明は、特に、第１〜３のいずれか１つの発明を、一方の操作部使用中、同じ加熱部に対し、他方の操作部から操作が行われた場合には報知を行うとともに、他方からの操作を禁止するとすることにより、誤動作を防ぎ、確実な操作が行えるとともに安全性を向上することができる。
【００１６】
第５の発明は、特に、第１〜４のいずれか１つの発明の操作部を、本体天面に配する構成とすることにより、使用勝手をより向上することができる。
【００１７】
第６の発明は、特に、第１〜５のいずれか１つの発明の操作部を、天面に配する静電容量検知式タッチパネルキーの構成とすることにより、キッチンに対するスタイリッシュな外観デザインを実現あるいは向上するとともに、操作キーの多重押しあるいは単独押しを一定時間押下した状態等、天面に備わるタッチパネル操作部に対する不用意なキー入力が行われやすい構造におけるキー異常時でも、使用勝手を向上することができる。
【００１８】
以下、本発明の実施の形態について、図面を参照しながら説明する。なお、この実施の形態によって本発明が限定されるものではない。
【００１９】
（実施の形態１）
本発明の実施の形態１について、図１から図７により説明する。
【００２０】
図１から図７は、本発明の第１の実施の形態における加熱調理器の平面図、斜視図、および部分拡大図を示すものである（図中で同一構成のものは同一番号を付与する）。
【００２１】
図１において、調理器本体１はキッチンキャビネット２のワークトップ３に上から落とし込んで組み込まれている。本体１の上面は結晶化ガラスを素材としたトッププレート４の周囲をプレート枠１３で囲んで覆われている。また、図２に示すようにトッププレート４には誘導加熱部５ａ、５ｂ、および電気抵抗発熱式加熱手段６（以下、ラジェントヒーター部６とする）を配置し、トッププレート４を構成する部材内前部には誘導加熱部５ａ、５ｂ、およびラジェントヒーター部６に対応する誘導加熱操作部７、１１、およびラジェント操作部１０が配されている。操作部７、１０、１１はトッププレート４に印刷された電極部を触れることで電気的容量が変化することに反応する静電容量検知式のタッチキーとし、天面に凹凸がないため手入れなどの取扱いがし易い平面接触式を実現している。なお、本実施の形態の操作部は静電容量検知式に限定するものではなく、タクト式などの押しボタン式操作部でも効果は同じものである。
【００２２】
誘導加熱部５ａ、５ｂ、およびラジェントヒーター部６に対応する本体内部には誘導加熱手段を構成する加熱コイル（図示せず）と、加熱コイル後方に電気抵抗発熱式加熱手段であるラジェントヒーター８が配されている。加熱コイルの電源回路である通電制御回路（図示せず）が加熱コイルの下方に配され、回路ユニット（図示せず）に対応した前方で操作回路ユニット下の位置にそれぞれ冷却ファン（図示せず）を配置し、その下方の本体１底面には吸気口（図示せず）がある。また、プレート枠１３の右前角部には、プレート枠１３で囲った電源スイッチ９が配されている。
【００２３】
また、誘導加熱部５ａ、５ｂに対応する操作部７、１１には、図３および図４に示すように加熱部に通電するための加熱入切キー７ａ、１１ａの他、加熱部の火力を調節するための火力アップキー７ｂ、１１ｂおよび火力ダウンキー７ｃ、１１ｃが配置され、その他、調理時間を設定するためのタイマー時間設定キー７ｄ、１１ｄ、分設定キー７ｅ、１１ｅ、またオート調理キー７ｆ等を配置する。
【００２４】
また、電気抵抗発熱式加熱手段であるラジェントヒーター８に対応する操作部１０には、図５に示すようにラジェント加熱入切キー１０ａと、火力を調節する火力アップキー１０ｂと、火力ダウンキー１０ｃとを備えた構成とする。また、図２のように、加熱部５ａ、５ｂおよびラジェントヒーター８に対応した操作部７ａ、７ｂ、１０に近接して、それぞれの入力状態を示す表示部１２ａ、１２ｂ、１２ｃを備える。表示部１２ａ、１２ｂ、１２ｃはＬＣＤにより入力状態やタイマー時間、設定温度などを表示するものである。
【００２５】
また、表示部１２ａ、１２ｂ、１２ｃにはＬＣＤ表示内容が視認しやすいようバックライトを設けてあり、電源スイッチ９の入り切りに連動して、加熱コイルおよびラジェントヒーター８に対応した複数の表示部１２ａ、１２ｂ、１２ｃのＬＣＤバックライトが点灯および消灯する。
【００２６】
以上のように構成された誘導加熱調理器について、以下その動作、作用を図６、図７により説明する。
【００２７】
まず、誘導加熱部５ｂに対応する操作部１１の加熱入切キー１１ａ操作時、操作キーを受け付けず、誘導加熱部５ｂが加熱できない状態であるとする。このとき、中央加熱部であるラジェントヒーター８の操作部中のラジェント加熱入／切キー１０ａを一定時間（例えば、１秒間）継続して押下しながら火力アップキー１０ｂを押下すると、右側の誘導加熱部５ｂを操作できるモードに移行する。このとき、ラジェントヒーター８に対応する表示部１２ｃには、右誘導加熱部が操作可能であることを示す動作（選択中動作）を、例えば図６中のように矢印表示し、かつ点滅させることで使用者に知らせる。ラジェント加熱入／切キー１０ａを放した時点で選択は確定となり、図７に示すように、矢印の点滅は点灯に変わる。この状態で、ラジェント操作部１０で、右側の誘導加熱部５ｂの操作を有効にし、ラジェント操作部１０の火力アップキー１０ｂで右側の誘導加熱部の火力がアップし、ラジェント操作部１０の火力ダウンキー１０ｃで、右側の誘導加熱部の火力がダウンする。また、ラジェント操作部１０の加熱入／切キー１０ａ押下で、右側の誘導加熱部の加熱入り切りを行うというように、通常と同じ操作を他方の操作部から行うことができる。上記モードを解除するためには、ラジェント操作部１０のラジェント加熱入／切キー１０ａを一定時間（例えば、１秒間）継続して押下すると、報知音とともにモードが解除され、加熱部と操作部を一対一とした通常のモードに移行する。左側の誘導加熱部をラジェント操作部側で行うときも、上記内容と同様であり、中央加熱部であるラジェントヒーター８の操作部１０のラジェント加熱入／切キー１０ａを一定時間（例えば、１秒間）継続して押下しながら火力ダウンキー１０ｃを押下すると、左側の誘導加熱部５ａを操作できるモードに移行する。このように、中央のラジェントヒーター側からでも右あるいは左誘導加熱部を操作することを可能にすることができ、これにより、加熱部に対応する操作部に異常が生じた場合でも、他方の操作部から異常中の操作部に対応する加熱部の使用を可能にすることができる。また、異常時に限らず、通常の使用（加熱部に対する該当操作部一対一の使用）に対する第二の操作手段として、使用性を向上することができる。
【００２８】
また、一方の操作部使用中、同じ加熱部に対し、他方の操作部から操作が行われた場合には、例えば、「ピピピッ」という警告の報知音を発生させて、報知を行うとともに、他方からの操作を禁止（受け付けないなど）することで、誤動作を防ぎ、確実な操作が行えるとともに安全性を向上することができる。
【００２９】
また、中央部に限らず、左右いずれかの加熱部に対応する操作部から、中央、あるいは他の加熱部を操作する場合には、例えば図３に示す左誘導加熱部５ａの操作部７中の加熱入／切キー７ａを一定時間（例えば、１秒間）継続して押下しながら火力アップキー７ｂを１回押下すると、中央加熱部６選択モード（前述図６と同様に表示部１２ａに右向きの矢印点滅状態）へ移行し、さらに火力アップキー７ｂを１回押下すると左側の誘導加熱部５ａ選択モード（前述図６と同様に表示部１２ａに左向きの矢印点滅状態）に移行する。この状態で、火力ダウンキー７ｃを押下すると、再び中央加熱部選択モードへ移行する。その後の動作は、上記同様である。
【００３０】
また、上記のように火力アップキー７ｂおよび火力ダウンキー７ｃによって、誘導加熱の揚げ物モードや、オート調理の選択も同様の方法で選択および加熱を可能にすることができる。
【００３１】
また、操作部７、１０、１１、のキー構成を全て天面に配した静電容量検知式タッチパネルキーとすることで、操作キーの多重押しあるいは単独押しを一定時間押下した状態等、天面に備わるタッチパネル操作部に対する不用意なキー入力が行われやすい構造におけるキー異常時でも、使用勝手と安全性を高めると共に、キッチンに対するスタイリッシュな外観デザインを実現あるいは向上することができる。
【００３２】
なお、電気抵抗発熱式加熱手段８は、天面以外に設けた特にキッチンのキャビネットに組み込んで使用するロースターを有した誘導加熱調理器においても上述した同様のキー操作を可能にするものとする。
【産業上の利用可能性】
【００３３】
以上のように、本発明にかかる加熱調理器は、特に２口以上の加熱部を基本とした構成において、一方の加熱部の操作部が無効状態になることにより、加熱部の使用ができなくなった場合でも、他方の操作部から無効操作部該当の加熱部を操作可能にすることができるとともに、操作中の操作部に対応する表示部には、使用している加熱部を示す表示を行うことにより、使用者に対しどの加熱部が加熱中であるかを分かりやすくすることができ、使用勝手を向上することができるので、組み込み式の加熱調理器等に適用できる。
【図面の簡単な説明】
【００３４】
【図１】本発明の実施の形態１における加熱調理器の斜視図
【図２】本発明の実施の形態１における加熱調理器の平面図
【図３】本発明の実施の形態１における加熱調理器の部分拡大図
【図４】本発明の実施の形態１における加熱調理器の部分拡大図
【図５】本発明の実施の形態１における加熱調理器の部分拡大図
【図６】本発明の実施の形態１における加熱調理器の部分拡大図
【図７】本発明の実施の形態１における加熱調理器の部分拡大図
【図８】従来例における加熱調理器の斜視図
【符号の説明】
【００３５】
１  本体
４  トッププレート
５ａ、５ｂ、６  加熱部
７、１０、１１  操作部
７ａ、１０ａ、１１ａ  加熱入切キー
１２ａ、１２ｂ、１２ｃ  表示部
【図１】
2006118819.tif 000003
【図２】
2006118819.tif 000004
【図３】
2006118819.tif 000005
【図４】
2006118819.tif 000006
【図５】
2006118819.tif 000007
【図６】
2006118819.tif 000008
【図７】
2006118819.tif 000009
【図８】
2006118819.tif 000010